(57)【要約】【課題】プロジェクタ装置とスクリーンとを収納して搬送することができ、所望の場所でスクリーンを簡易に支持してプロジェクタ装置によって投影することが可能なキャリングバッグを提供すること。【解決手段】折り畳み自在なスクリーンをプロジェクタ装置と共に収納して搬送するキャリングバッグ１は、展開したスクリーン６を支持する支持部１ｃを備えている。スクリーン６は、外周に磁性体を有する弾性枠６ａが配置され、支持部１ｃは、弾性枠を磁気吸着する永久磁石２が設けられている。また、支持部１ｃは、スクリーン裏面に設けた面ファスナと着脱自在に係合する面ファスナが設けられている。【選択図】        図９
2006195186.tif 000002
【特許請求の範囲】
【請求項１】
折り畳み自在なスクリーンをプロジェクタ装置と共に収納して搬送するキャリングバッグであって、
展開した前記スクリーンを支持する支持部を備えていることを特徴とするキャリングバッグ。
【請求項２】
前記スクリーンは、外周に磁性体を有する弾性枠が配置され、
前記支持部は、前記弾性枠を磁気吸着する永久磁石が設けられている
ことを特徴とする請求項１に記載のキャリングバッグ。
【請求項３】
前記支持部は、前記スクリーン裏面に設けた面ファスナと着脱自在に係合する面ファスナが設けられていることを特徴とする請求項１に記載のキャリングバッグ。
【請求項４】
前記スクリーンは、一部が当該キャリングバッグに取り付けられていることを特徴とする請求項１に記載のキャリングバッグ。
【発明の詳細な説明】
【技術分野】
【０００１】
本発明は、キャリングバッグに関するものである。
【背景技術】
【０００２】
プロジェクタ装置は、高品位で大型の画像を投影することによって多人数で見ることができるため、従来からプレゼンテーションや研究発表等において広く利用されている。プロジェクタ装置を利用する際、画像を壁面やホワイトボード等、身近に存在する適当な対象に投影してしまう場合があるが、投影像の良好な画質を実現するためには、投影専用のスクリーンを使用することが好ましい。ここで、プロジェクタ装置が携帯型の場合、スクリーンも携帯型であることが望ましく、折り畳み自在とした携帯型のスクリーンが提案されている（例えば、特許文献１参照。）。
【０００３】
【特許文献１】特開２００３−５７７５６号公報
【発明の開示】
【発明が解決しようとする課題】
【０００４】
しかしながら、特許文献１に開示されたスクリーンは、画像投影時に鉛直に支持するスタンドや壁や天井等から吊り下げるための吊下げ部材を必要とするうえ、設置位置の変更が容易でないという問題があった。しかも、プロジェクタ装置やスクリーンを可搬式としても、それぞれ個別に搬送したのでは、管理が面倒になるという問題があった。
【０００５】
本発明は、上記に鑑みてなされたものであって、プロジェクタ装置とスクリーンとを収納して搬送することができ、所望の場所でスクリーンを簡易に支持してプロジェクタ装置によって投影することが可能なキャリングバッグを提供することを目的とする。
【課題を解決するための手段】
【０００６】
上述した課題を解決し、目的を達成するために、請求項１に係るキャリングバッグは、折り畳み自在なスクリーンをプロジェクタ装置と共に収納して搬送するキャリングバッグであって、展開した前記スクリーンを支持する支持部を備えていることを特徴とする。
【０００７】
また、請求項２に係るキャリングバッグは、上記の発明において、前記スクリーンは、外周に磁性体を有する弾性枠が配置され、前記支持部は、前記弾性枠を磁気吸着する永久磁石が設けられていることを特徴とする。
【０００８】
また、請求項３に係るキャリングバッグは、上記の発明において、前記支持部は、前記スクリーン裏面に設けた面ファスナと着脱自在に係合する面ファスナが設けられていることを特徴とする。
【０００９】
また、請求項４に係るキャリングバッグは、上記の発明において、前記スクリーンは、一部が当該キャリングバッグに取り付けられていることを特徴とする。
【発明の効果】
【００１０】
本発明にかかるキャリングバッグは、展開したスクリーンを支持する支持部を備えているので、プロジェクタ装置とスクリーンとを収納して搬送することができ、所望の場所でスクリーンを簡易に支持してプロジェクタ装置によって投影することができるという効果を奏する。
【００１１】
また、スクリーンは、外周に磁性体を有する弾性枠が配置され、支持部は、前記弾性枠を磁気吸着する永久磁石が設けられているので、スクリーンを簡単に支持することができる。
【００１２】
また、支持部は、スクリーン裏面に設けた面ファスナと着脱自在に係合する面ファスナが設けられているので、スクリーンを簡単に着脱することができる。
【００１３】
また、スクリーンは、一部が当該キャリングバッグに取り付けられているので、展開したときには支持部によって鉛直に支持され、折り畳んだときには、キャリングバッグに取り付けた取付部を軸として倒伏させて収納することができる。
【発明を実施するための最良の形態】
【００１４】
（実施の形態１）
以下、本発明のキャリングバッグにかかる実施の形態について、図面を参照しつつ詳細に説明する。本発明のキャリングバッグは、折り畳んだスクリーンを携帯型のプロジェクタ装置と共に収納して搬送し、所望の場所でスクリーンを展開し、展開したスクリーンを簡易に支持してプロジェクタ装置によって投影する際に使用される。図１は、実施の形態１にかかるキャリングバッグの蓋を開いた状態を示す斜視図である。図２は、図１のキャリングバッグの支持部を拡大した側面図である。図３は、図１のキャリングバッグに収納されるスクリーンを展開した状態を示す斜視図である。
【００１５】
キャリングバッグ１は、図１に示すように、本体１ａと蓋１ｂとを有する直方体形状の箱状のバッグであり、本体１ａにはスクリーン６を支持する支持部１ｃが設けられている。本体１ａは、携帯型のプロジェクタ装置５とスクリーン６を折り畳んだ状態で収容した袋７とを収納し、上部に蓋１ｂが被せられる。このとき、スクリーン６を収容した袋７はプロジェクタ装置５の上に載置するが、蓋１ｂの下面に取り付けるようにしてもよく、或いは袋７に収容することなく蓋１ｂの下面に取り付けた弾性帯等で直接保持してもよい。支持部１ｃは、本体１ａの蓋１ｂを設けた部分と対向する位置に形成され、図２に示すように、本体１ａ側及び本体１ａと対向する部分には棒状の永久磁石２が取り付けられている。また、支持部１ｃは、外側に取手１ｄが設けられ、蓋１ｂの取手１ｄに対応する位置には取手１ｄを挿通する開口１ｅが形成されている。
【００１６】
スクリーン６は、図３に示すように、四隅が円形に成形された弾性枠６ａの内側に白色の布６ｂを張設したもので、弾性枠６ａの内部には可撓性を有し、扁平、かつ、磁性体からなる金属板が板面を布６ｂと平行に配置して埋設されている。弾性枠６ａは、可撓性を有する磁性金属からなる枠体とし、この枠体に布６ｂを張設したものとしてもよい。このようなスクリーン６としては、例えば、実開平５−２６５４９号公報に開示された日除け具を利用することができる。
【００１７】
スクリーン６を折り畳むときは、弾性枠６ａの長手方向両側を左右の手で把持し、一方の手を布６ｂの張設面に対して向こう側へ捻り、他方の手を手前側へ捻ることによって弾性枠６ａを図４に示すように撓ませる。次に、撓んだ弾性枠６ａの上縁ＦU（図４参照）を、図５に示すように、上縁ＦUと対向する下縁ＦL（図４参照）に接近させた後、弾性枠６ａの中央に向けて下縁ＦLから離れるように後退させる。すると、スクリーン６は、弾性枠６ａの弾性力によって、図６に示すように弾性枠６ａに三つの輪Ｒ1〜Ｒ3が形成される。そこで、三つの輪Ｒ1〜Ｒ3を捻って重ねると、図７に示すように、スクリーン６は、元の弾性枠６ａよりも小さい輪Ｒ1〜Ｒ3が重なった状態に折り畳むことができる。このとき、スクリーン６は、重なった輪Ｒ1〜Ｒ3を軽く挟んでおくだけで、折り畳んだ状態に保持される。このようにして折り畳まれたスクリーン６は、図８に示すようにして袋７に収容し、キャリングバッグ１に収納される（図１参照）。袋７に収容するのは、スクリーン６を汚れないようにして画質の良好な映像を投影するためである。従って、汚れを回避できれば、スクリーン６は袋７に収容する必要はない。
【００１８】
そして、プロジェクタ装置５を使用する場合、キャリングバッグ１は、支持部１ｃが上下方向となるように本体１ａを投影場所のテーブル等の上に設置し、蓋１ｂを開いて収納したプロジェクタ装置５と袋７を取り出し、折り畳んだスクリーン６を袋７から引き出す。すると、スクリーン６は、弾性枠６ａの弾性力によって、袋７から引き出すだけで図３に示すように展開する。このため、弾性枠６ａを支持部１ｃに上方から差し込むと、弾性枠６ａが永久磁石２によって吸着され、展開したスクリーン６は、図９に示すように、支持部１ｃに簡単に支持される。この状態で、スクリーン６の裏面にプロジェクタ装置５から画像を投影すれば、所望の場所で画質の良好な映像を投影することができる。そして、投影が終了したときには、支持部１ｃから引き抜いたスクリーン６を畳んで袋７に収容し、プロジェクタ装置５と共にキャリングバッグ１に収納する（図１参照）。これによって、キャリングバッグ１は、プロジェクタ装置５とスクリーン６とを常に１組とした状態でどこへでも搬送して投影することができる。
【００１９】
このように、キャリングバッグ１は、特別の部材を用いることなく、スクリーン６を簡易に支持することができ、プロジェクタ装置５とスクリーン６の収納も容易である。また、キャリングバッグ１は、ディスプレイを備えた、例えば、パソコンのような重い外部機器をプロジェクタ装置５と一緒に持ち運ぶ必要がなく、プロジェクタ装置５とスクリーン６とを収納して持ち運ぶだけでよいので、どこでも映像を投影することができ、備品の管理も容易である。ここで、スクリーン６は、下部が支持部１ｃに隠れてしまうが、映像は中央部分に投影するので大きな問題はない。
【００２０】
（実施の形態２）
次に、本発明のキャリングバッグにかかる実施の形態２について、図面を参照しつつ詳細に説明する。実施の形態１のキャリングバッグは、支持部１ｃに設けた永久磁石２によってスクリーン６を支持した。これに対して、実施の形態２のキャリングバッグは、本体１ａの裏面に支持部として設けた面ファスナによってスクリーン６を支持している。図１０は、実施の形態２にかかるキャリングバッグの使用状態を示す斜視図である。ここで、以下に説明するキャリングバッグは、実施の形態１のキャリングバッグと同一の構成部分に同一の符号を付して説明する。
【００２１】
キャリングバッグ１は、図１０に示すように、本体１ａの底壁１ｆに支持部として面ファスナ６ｃと着脱自在に係合する面ファスナ１ｇが二箇所に設けられている。ここで、面ファスナ６ｃは、スクリーン６裏面下部の面ファスナ１ｇと対応する位置に設けられている。プロジェクタ装置５を使用する場合、キャリングバッグ１は、蓋１ｂを開いて収納したプロジェクタ装置５と袋７を取り出した後、本体１ａの側面を下にしてテーブルや机等に設置する。このとき、キャリングバッグ１は、図示のように、蓋１ｂを開いておいてもよいし、閉じてもよい。そして、スクリーン６の裏面に設けた面ファスナ６ｃを面ファスナ１ｇと係合させると、キャリングバッグ１は、図示のように、スクリーン６を面ファスナ６ｃによって鉛直方向に支持することができる。従って、キャリングバッグ１は、所望の場所でスクリーン６を支持してプロジェクタ装置５から画質の良好な映像を投影することができる。なお、投影が終了したとき、キャリングバッグ１は、面ファスナ６ｃを面ファスナ１ｇから剥がせば、スクリーン６を簡単に取り外すことができる。従って、キャリングバッグ１は、プロジェクタ装置５とスクリーン６とを常に１組とした状態でどこへでも搬送して映像を投影することができる。
【００２２】
（実施の形態３）
次に、本発明のキャリングバッグにかかる実施の形態３について、図面を参照しつつ詳細に説明する。実施の形態１，２のキャリングバッグは、スクリーン６が着脱自在であったが、実施の形態３のキャリングバッグは、スクリーン６の一部が本体１ａに取り付けられている。図１１は、実施の形態３にかかるキャリングバッグの使用状態の主要部を示す斜視図である。
【００２３】
キャリングバッグ１は、図１１に示すように、本体１ａの側壁１ｈにスクリーン６の弾性枠６ａを挿通する支持部としてのスリット１ｉが設けられ、弾性枠６ａの下部が取付部６ｄによって底壁１ｆ上面に取り付けられている。取付部６ｄは、側壁１ｈに対向する側壁１ｊ側に配置され、底壁１ｆには接着或いは縫合等によって取り付けられている。キャリングバッグ１は、スリット１ｉによって弾性枠６ａを支持すると共に、スクリーン６の下部が底壁１ｆ上面に取り付けられることにより、スクリーン６を鉛直に支持している。
【００２４】
従って、キャリングバッグ１は、スクリーン６の下部が底壁１ｆに取り付けられた状態で、図１２に示すように、弾性枠６ａをスリット１ｉから外し、弾性枠６ａのスリット１ｉ側を布６ｂの張設面に対して捻る。すると、スクリーン６が、図１３に示すように、底壁１ｆから起立した状態で折り畳まれる。このとき、スクリーン６は、弾性枠６ａの下部が取付部６ｄによって底壁１ｆ上面に取り付けられているだけである。このため、折り畳まれたスクリーン６は、取付部６ｄを軸として底壁１ｆ上面に倒伏させ（図１３矢印参照）、図１４に示すように、本体１ａに収納することができる。従って、スクリーン６の上にプロジェクタ装置５を載せて本体１ａに収納した後、蓋１ｂを閉じれば、キャリングバッグ１は、プロジェクタ装置５とスクリーン６とを常に１組とした状態でどこへでも搬送して画質の良好な映像を投影することができる。このとき、キャリングバッグ１は、スクリーン６を取り付けてあるので、スクリーン６の収納を忘れてプロジェクタ装置５だけを搬送してしまう恐れもない。
【図面の簡単な説明】
【００２５】
【図１】実施の形態１にかかるキャリングバッグの蓋を開いた状態を示す斜視図である。
【図２】図１のキャリングバッグの支持部を拡大した側面図である。
【図３】図１のキャリングバッグに収納されるスクリーンを展開した状態を示す斜視図である。
【図４】図３のスクリーンを折り畳む第１段階の操作を示す斜視図である。
【図５】図３のスクリーンを折り畳む第２段階の操作を示す斜視図である。
【図６】図３のスクリーンを折り畳む第３段階の操作を示す斜視図である。
【図７】図３のスクリーンを折り畳んだ状態を示す斜視図である。
【図８】図７に示すスクリーンを袋に収容する様子を示す斜視図である。
【図９】図１のキャリングバッグによって展開したスクリーンを鉛直に支持している状態を示す斜視図である。
【図１０】実施の形態２にかかるキャリングバッグの使用状態を示す斜視図である。
【図１１】実施の形態３にかかるキャリングバッグの使用状態の主要部を示す斜視図である。
【図１２】図１１に示すキャリングバッグのスクリーンを折り畳む操作を示す斜視図である。
【図１３】図１１に示すキャリングバッグのスクリーンを折り畳んだ状態を示す斜視図である。
【図１４】折り畳んだスクリーンをキャリングバッグに収納した状態を示す斜視図である。
【符号の説明】
【００２６】
１              キャリングバッグ
１ａ            本体
１ｂ            蓋
１ｃ            支持部
１ｄ            取手
１ｅ            開口
１ｆ            底壁
１ｇ            面ファスナ
１ｉ            スリット
１ｈ，１ｊ      側壁
２              永久磁石
６              スクリーン
６ａ            弾性枠
６ｂ            布
６ｃ            面ファスナ
６ｄ            取付部
７              袋
ＦU             上縁
ＦL             下縁
Ｒ1〜Ｒ3        輪
【図１】
2006195186.tif 000003
【図２】
2006195186.tif 000004
【図３】
2006195186.tif 000005
【図４】
2006195186.tif 000006
【図５】
2006195186.tif 000007
【図６】
2006195186.tif 000008
【図７】
2006195186.tif 000009
【図８】
2006195186.tif 000010
【図９】
2006195186.tif 000011
【図１０】
2006195186.tif 000012
【図１１】
2006195186.tif 000013
【図１２】
2006195186.tif 000014
【図１３】
2006195186.tif 000015
【図１４】
2006195186.tif 000016